(57)【要約】      （修正有）【課題】防塵及びスムーズな操作効果を達成できる防塵キャップを備えたヘッドアップディスプレイ装置を提供する。【解決手段】台座１と、表示モジュール２と、反射モジュール４と、防塵モジュール５と、電動モジュール６と、を備える。防塵モジュール５は少なくとも第１蓋体５１と、第２蓋体５２を含み、電動モジュール６が第２蓋体と連動しひっくり返り、第１蓋体と、第２蓋体を折り畳んで連動し、台座の開口部１２を蓋閉めし、ホコリを拭き取るときに、ホコリが台座の内部に落ち込むことを避ける。【選択図】図１
0003208969.tif 000002
【実用新案登録請求の範囲】
【請求項１】
防塵キャップを備えたヘッドアップディスプレイ装置であって、
台座と、表示モジュールと、反射モジュールと、防塵モジュールと、電動モジュールと、を備え、
前記台座の内部に収容空間と、開口部とを設け、
前記表示モジュールを前記収容空間に設け、影像を投射させ、
前記反射モジュールを前記収容空間に設け、前記表示モジュールの投射影像を反射させ、
前記防塵モジュールは、少なくとも前記開口部に設けられた第１蓋体と、前記開口部に設けられた第２蓋体とを含み、前記第１蓋体を前記第２蓋体に枢椄し、
前記電動モジュールを前記収容空間に設け、前記第２蓋体に枢椄し、前記第２蓋体が前記電動モジュールの連動によってひっくり返り、前記第２蓋体が前記第１蓋体を連動して後ろ側に移動させ、前記第１蓋体と、前記第２蓋体とを折り畳み、開放状態を形成して、前記表示モジュールの影像を反射モジュールに投射することを特徴とする、防塵キャップを備えたヘッドアップディスプレイ装置。
【請求項２】
前記反射モジュールは電動式反射モジュールであることを特徴とする、請求項１記載の防塵キャップを備えたヘッドアップディスプレイ装置。
【請求項３】
反射ミラーをさらに含み、前記反射ミラーを前記収容空間に設け、前記表示モジュールより投射される影像を反射することを特徴とする、請求項１記載の防塵キャップを備えたヘッドアップディスプレイ装置。
【請求項４】
前記第２蓋体に連動プレートを設け、前記連動プレートが第１枢椄素子と、連動溝とを含み、前記第１枢椄素子を前記台座の前記第２枢椄素子に枢椄し、前記連動溝を電動モジュールの連動軸に枢椄することを特徴とする、請求項１記載の防塵キャップを備えたヘッドアップディスプレイ装置。
【請求項５】
前記第１蓋体を連接棒の一端に枢椄し、前記連接棒のもう一端を前記台座の内壁に枢椄することを特徴とする、請求項１記載の防塵キャップを備えたヘッドアップディスプレイ装置。
【請求項６】
前記防塵モジュールは第３蓋体をさらに含み、前記第３蓋体を開口部に設け、前記第３蓋体を前記第２蓋体に枢椄し、前記第１蓋体と、前記第２蓋体と、前記第３蓋体とを折り畳んで開放するときにＺ字型を形成し、前記第１蓋体が前記第３蓋体の位置に取り変わって、前記反射モジュール後方の保護蓋を形成することを特徴とする、請求項１記載の防塵キャップを備えたヘッドアップディスプレイ装置。
【請求項７】
前記防塵モジュールは前記第３蓋体をさらに含み、前記第３蓋体を前記開口部に設け、前記第３蓋体の後ろ側両端に、それぞれ回転軸と、前記第２弾性素子を設け、前記第１蓋体と、前記第２蓋体を折り畳むときに、前記第３蓋体を圧迫しひっくり返して下方へ沈めると同時に、前記第１蓋体と、前記第２蓋体の折り畳み位置を空けることを特徴とする、請求項１記載の防塵キャップを備えたヘッドアップディスプレイ装置。
【請求項８】
前記台座は、案内溝をさらに含み、前記案内溝を前記台座の内壁に設け、前記第１蓋体前側の両端部にそれぞれ収合素子を設け、前記収合素子を案内溝に嵌め込み、前記第１蓋体が前記案内溝の誘導により、連動して前記第２蓋体後ろ側の折り畳み位置を制限し、前記第２蓋体が動力により１８０度以上にひっくり返り、前記第１蓋体と、前記第２蓋体の内面を互いに重ね合わせることを特徴とする、請求項１記載の防塵キャップを備えたヘッドアップディスプレイ装置。
【請求項９】
前記防塵モジュールは、前記第３蓋体をさらに含み、前記第３蓋体を前記開口部に設け、前記第２蓋体を前記第３蓋体に枢椄し、前記第３蓋体後ろ側の第１弾性素子、前記台座内壁の後ろ側に２つの案内プレートを設け、前記案内プレートに傾斜案内面を有し、前記第３蓋体後方の縁部が傾斜案内面に対応し、前記第３蓋体を誘導して移動することを特徴とする、請求項１記載の防塵キャップを備えたヘッドアップディスプレイ装置。
【請求項１０】
前記台座は車両のコンソールに埋め込まれていることを特徴とする、請求項１記載の防塵キャップを備えたヘッドアップディスプレイ装置。
【考案の詳細な説明】
【技術分野】
【０００１】
本考案は防塵キャップを備えたヘッドアップディスプレイ装置に関し、特にホコリの機器本体の内部への侵入を防ぐ防塵キャップを備えたヘッドアップディスプレイ装置に関する。台座開口部の上方に設ける３つの蓋体を利用し、折り畳み連動方式によって、台座の開口部の蓋を閉めて、ホコリを拭き取るときに、ホコリが台座の内部に落ち込むことを避け、防塵及びスムーズ操作の効果を達成できる。
【背景技術】
【０００２】
現在流行りの自動車用ヘッドアップ表示装置は、ヘッドアップディスプレイ（Ｈｅａｄ  Ｕｐ  Ｄｉｓｐｌａｙ）とも言う。この種の装置は、運転者の視線が進行する前方道路から離れる回数と時間を減らすことによって、車走行の安全性向上を図る。
【０００３】
ここ数年は、市場に車載可能な外付け式ヘッドアップディスプレイが現れている。それらのヘッドアップディスプレイ機能は、単純に時速、回転速度の表示から、今では水温、スロットルの位置、燃料の量、速度オーバー警告、後進の画像、バッテリー電圧、さらに、スピードレーダーが全部整合されている。一部の製品は、高速に取り付けられることを訴えており、車載コンピューターにつなげれば、新たに配線する必要はないと強調している。一部の自動車メーカーのハイスペック車種は、さらにナビゲーションシステムと前後の車間距離等のデータをヘッドアップディスプレイの表示データに整合し、運転者に多くの利便性をもたらしている。一方、市販の外付け式ヘッドアップディスプレイ価格は、簡単機能の数千円なものから品質と機能が多様で豊富な数万円のものも販売されている。
【０００４】
外付け式ヘッドアップディスプレイのスタイル及び機能ともに多様化しており、この種の技術は、特許文献１、特許文献２、特許文献３、特許文献４、特許文献５、特許文献６等が公開されている。それらの公知前例の多くは、防塵機能が備われているが、現在に市販しているヘッドアップディスプレイの構造には、大抵、以下の課題が残されている。
【０００５】
１．その一部のヘッドアップディスプレイはコストダウンを図り、反射シートのバックプレートを防塵蓋体として利用しているため、反射シートに対する保護を少なくしており、蓋閉めるときの不注意により、外力または物品をその上に乗せられ、反射シートの損傷及び位置ずれが発生する。
【０００６】
２．さらに、一部の製品は、防塵カーバーの開閉と反射シートの開閉をそれぞれ別々の動力源によって作動しており、両者の動作の不釣合いがしばしば発生し、故障率も高く、使用者を悩ましている。
【０００７】
３．前述特許前例のうち、一部はシャッター方式の蓋体を防塵の保護手段としているが、シャッターの展開または巻き上げの行程が長く、作動に係る待ち時間も比較的長い。さらに、大きい収納空間が必要であるため機体の体積も大きい。さらに、この種のシャッター式ヘッドアップディスプレイに係る反射シートの開閉がほとんど独立稼働になっており、不釣合い現象が起きる。
【０００８】
４．現在市販中のヘッドアップディスプレイ構造によれば、それらの蓋体の設置位置は機体開口部より少し低い位置に設けられている。この種の構造には、拭き取り清掃するときに、ホコリが機体の内部に落ち込みやすく、年月が経つと、蓄積されたホコリが作動の順調性に影響し、ヘッドアップディスプレイの使用寿命が縮まる。
【先行技術文献】
【特許文献】
【０００９】
【特許文献１】中華民国実用新案特許ＴＷＩ５４１５４２号
【特許文献２】中国特許ＣＮ２０１４１００９１１１４．１号
【特許文献３】中国特許ＣＮ２０１４１０５１３８７９．Ｘ号
【特許文献４】中国特許ＣＮ２００７８００４９３１７．２号
【特許文献５】中国特許ＣＮ２０１３２０８２１５５５．３号
【特許文献６】中華民国実用新案特許ＴＷＭ４８００７４号
【考案の概要】
【考案が解決しようとする課題】
【００１０】
前述課題解決を図り、本考案者が研究、改良を繰り返した結果、本考案の防塵キャップを備えたヘッドアップディスプレイ装置に至り、本考案の目的であるホコリの機器本体内部への侵入を防げる防塵キャップを備えたヘッドアップディスプレイ装置を提供することとなった。
【課題を解決するための手段】
【００１１】
前述した本考案の目的を達成するため、本考案のヘッドアップディスプレイ装置は、台座と、表示モジュールと、反射モジュールと、防塵モジュールと、電動モジュールと、を備える。
【００１２】
台座は、内部に収容空間と、開口部とを設けている。
【００１３】
表示モジュールは、収容空間に設けられ、影像を投射させる。
【００１４】
反射モジュールは、収容空間に設けられ、表示モジュールの投射影像を反射させる。
【００１５】
防塵モジュールは、少なくとも前記開口部に設けられた第１蓋体と、前記開口部に設けられた第２蓋体とを含む。第１蓋体は第２蓋体に枢椄する。
【００１６】
電動モジュールを収容空間に設け、電動モジュールは第２蓋体に枢椄し、第２蓋体が電動モジュールの連動によってひっくり返り、第２蓋体が第１蓋体を連動して後ろ側に移動させ、第１蓋体と、第２蓋体とを折り畳み、開放状態を形成して、表示モジュールの影像を反射モジュールに投射する。
【００１７】
前述反射モジュールは、電動式反射モジュールである。
【００１８】
本考案の防塵キャップを備えたヘッドアップディスプレイ装置は反射ミラーをさらに含む。反射ミラーは収容空間に設けられていて、表示モジュールより投射される影像を反射する。
【００１９】
前述第２蓋体に連動プレートを設け、連動プレートは第１枢椄素子と、連動溝とを含む。第１枢椄素子を台座の第２枢椄素子に枢椄し、連動溝を電動モジュールの連動軸に枢椄する。
【００２０】
前述第１蓋体を連接棒の一端に枢椄し、連接棒のもう一端を台座の内壁に枢椄する。
【００２１】
前述防塵モジュールは第３蓋体をさらに含む。第３蓋体を開口部に設け、第３蓋体を第２蓋体に枢椄し、第１蓋体と、第２蓋体と、第３蓋体とを折り畳んで開放するときにＺ字型を形成し、第１蓋体が第３蓋体の位置に取り変わって、反射モジュール後方の保護蓋を形成する。
【００２２】
前述防塵モジュールは第３蓋体をさらに含む、第３蓋体を開口部に設け、第３蓋体の後ろ側両端に、それぞれ回転軸と、第２弾性素子を設け、第１蓋体と、第２蓋体を折り畳むときに、第３蓋体を圧迫しひっくり返して下方へ沈むと同時に、第１蓋体と、第２蓋体の折り畳み位置を空ける。
【００２３】
前述台座は、案内溝をさらに含む。案内溝を台座の内壁に設け、第１蓋体前側の両端部にそれぞれ収合素子を設け、収合素子を案内溝に嵌め込み、第１蓋体は案内溝の誘導によって、連動して第２蓋体後ろ側の折り畳み位置を制限し、第２蓋体が動力により１８０度以上にひっくり返り、第１蓋体と、第２蓋体の内面を互いに重ね合わせる。
【００２４】
前述防塵モジュールは、第３蓋体をさらに含む。第３蓋体を開口部に設け、第２蓋体を第３蓋体に枢椄し、第３蓋体後ろ側の第１弾性素子、台座内壁の後ろ側に２つの案内プレートを設けられ、案内プレートに傾斜案内面を有し、第３蓋体後方の縁部が傾斜案内面に対応していて、第３蓋体を誘導して移動させる。
【００２５】
前述台座は車のコンソールに設けられている。
【考案の効果】
【００２６】
台座開口部の上方に設ける３つの蓋体を利用し、折り畳み連動方式によって、台座の開口部に蓋閉めて、ホコリを拭き取るときに、ホコリが台座の内部に落ち込むことを避けられ、防塵及びスムーズ操作の効果を達成できる。
【図面の簡単な説明】
【００２７】
【図１】本考案の第１実施例による立体分解を示す図である。
【図２】本考案の第１実施例による立体を示す図である。
【図３】本考案の第１実施例による閉合を示す図である。
【図４】本考案の第１実施例による開放を示す図である。
【図５】本考案の第２実施例による立体分解を示す図である。
【図６】本考案の第２実施例による閉合を示す図である。
【図７】本考案の第２実施例による開放を示す図である。
【考案を実施するための形態】
【００２８】
［実施例１］
図１ないし４、本考案の防塵キャップを備えたヘッドアップディスプレイ装置第１実施例を参照する。台座１と、表示モジュール２と、反射ミラー３と、反射モジュール４と、防塵モジュール５と、電動モジュール６と、を備える。
【００２９】
台座１の内部に収容空間１１と、開口部１２とが設けられ、収容空間１１に電気回路板１３を設けていて、台座１を車のコンソールＬに埋め込む。
【００３０】
表示モジュール２を収容空間１１に取り付けていて、電気回路板１３と電気接続され、電気回路板１３から出力する映像を受信し、影像が第１影像光路Ｄ１を介して投射される。
【００３１】
反射ミラー３を収容空間１１に取り付けていて、表示モジュール２から投射する影像が第２影像光路Ｄ２を介して投射される。
【００３２】
反射モジュール４は電動式反射モジュールであり、反射モジュール４を収容空間１１に設け、反射モジュール４が反射シート４１を含む。反射シート４１は半透明式の半反射効果の凹レンズを形成し、反射シート４１が凹レンズの仮想イメージを結像及び拡大し、さらに、反射ミラー３によって反射された影像を反射及び拡大し、第３影像光路Ｄ３より投射すると同時に、影像と透視される前方道路の影像と重ね合わせる。
【００３３】
防塵モジュール５が第１蓋体５１と、第２蓋体５２と、第３蓋体５３とを含む。第１蓋体５１と、第２蓋体５２と、第３蓋体５３を開口部１２の上方に設け、第１蓋体５１両側の端部をそれぞれ連接棒５５の一端に枢椄し、連接棒５５の他端を台座１の内壁に枢椄し、第２蓋体５２の両側にそれぞれ連動プレート５４を設け、第１蓋体５１を第２蓋体５２に枢椄し、第３蓋体５３を第２蓋体５２に枢椄し、第１蓋体５１と、第２蓋体５２と、第３蓋体５３とは互いに接続していて、開放するときに折りたたんでＺ字型を形成する。
【００３４】
電動モジュール６を収容空間１１に設けていて、かつ、電気回路板１３と電気接続され、電動モジュール６の連動軸６１を第２蓋体５２に枢椄し、第２蓋体５２が電動モジュール６の連動によってひっくり返し、第２蓋体５２が第１蓋体５１を連動して後ろ側にひっくり返し、第１蓋体５１と、第２蓋体５２を折り畳んで開放状態を形成し、表示モジュール３の影像を反射モジュール４に投射させる。開放状態において、第１蓋体５１が第３蓋体５３の位置に取り変わって、反射シート４１後方の保護蓋を形成する。
【００３５】
前述連動プレート５４は、第１枢椄素子５４１と、連動溝５４２とを含む。第１枢椄素子５４１と、台座１の第２枢椄素子１５と枢椄し、連動溝５４２を電動モジュール６の連動軸６１に枢椄する。
【００３６】
前述連接棒５５の一端に、第３枢接素子５５１を有し、台座１内壁の第４枢接素子１４に枢椄して、第１回転軸機構Ｂ１を構成し、連接棒５５のもう一端に第５枢接素子５５２を設け、第１蓋体５１前側の第６枢接素子５１１に枢椄して、第２回転軸機構Ｂ２を構成し、第１蓋体５１後ろ側の第７枢接素子５１２を第２蓋体５２前側の第８枢接素子５２１に枢椄して、第３回転軸機構Ｂ３を構成する。
【００３７】
前述第３蓋体５３の前側に第１０枢接素子５３１を有し、第１０枢接素子５３１を第２蓋体５２後ろ側の第９枢接素子５２２に枢椄して、第４回転軸機構Ｂ４を構成し、第３蓋体５３後ろ側の内面に第１ラッチホール５３３を有し、台座１内壁の後ろ側に少なくとも１つの第２ラッチホール１８と、２つの案内プレート１６を設けられ、第１弾性素子Ｓ１の一端を第１ラッチホール５３３に引っ掛けていて、第１弾性素子Ｓ１の他端を第２ラッチホール１８に引っ掛ける。第１弾性素子Ｓ１はばねを形成し、案内プレート１６に傾斜案内面１６１を設けられ、第３蓋体５３後ろ側の縁部を傾斜案内面１６１に対応する位置に誘導収合部５３２を設けており、防塵モジュール５を開放したときに、第２蓋体５２が牽引して第３蓋体５３を連動して作動させ、第１弾性素子Ｓ１の弾性力によって、誘導収合部５３２を引っ張り、案内プレート１６の傾斜案内面１６１に貼り付けると同時に、誘導収合部５３２を傾斜案内面１６１に沿って滑り移動させ、第３蓋体５３を支持及び誘導移動させる。
【００３８】
前述台座１の上方にカーバープレート１０を設け、カーバープレート１０に台座１の開口部１２が設けられている。
【００３９】
前述反射モジュール４の底部側は電動モジュール６の一側に結合されている。
【００４０】
図３、本考案の第１実施例による防塵モジュール５の閉合状態を示す図を参照する。反射シート４１を使用するときは、電動モジュール６によって、連動軸６１を連動し、第２蓋体５２をひっくり返すと同時に、第１蓋体５１と、第３蓋体５３を連動させ、第２蓋体５２が第１蓋体５１を連動して後ろ側にひっくり返すことによって、第１蓋体５１と、第２蓋体５２と、第３蓋体５３を折り畳んでＺ字型の開放状態を形成し、引き続き、反射モジュール４の反射シート４１も観賞位置にひっくり返され、表示モジュール３の影像を反射シート４１に投射させる（図４に示す）。
【００４１】
反射シート４１を収納する時は、電動モジュール６を逆方向に回転させ、反射モジュール４の反射シート４１を内側の収納位置にひっくり返す。連動軸６１も第２蓋体５２を連動して逆方向にひっくり返すとともに、第１蓋体５１と、第３蓋体５３を連動して作動させ、第２蓋体５２を第１蓋体５１に連動して前側に移動し、第１蓋体５１と、第２蓋体５２と、第３蓋体５３を展開して、台座１の開口部１２を蓋閉めて、閉合状態を形成し（図３に示す）て、ホコリの侵入を防いで、操作の順調性を確保しておく。
【００４２】
[実施例２]
図５ないし７、本考案の防塵キャップを備えたヘッドアップディスプレイ装置の第２実施例を参照する。台座１と、表示モジュール２と、反射ミラー３と、反射モジュール４と、防塵モジュール５と、電動モジュール６と、を備える。
【００４３】
台座１の内部に収容空間１１と、開口部１２とが設けられ、収容空間１１に電気回路板１３を設け、台座１は車のコンソールＬに埋め込まれていて、台座１内壁の両側にそれぞれ案内溝１７を設けている。
【００４４】
表示モジュール２を収容空間１１に取り付けていて、電気回路板１３と電気接続され、電気回路板１３から出力する映像を受信し、影像を第１影像光路Ｄ１に介して投射させる。
【００４５】
反射ミラー３を収容空間１１に取り付けていて、表示モジュール２から投射する影像が第２影像光路Ｄ２を介して投射される。
【００４６】
反射モジュール４は、電動式反射モジュールであり、反射モジュール４を収容空間１１に設け、反射モジュール４は反射シート４１を含む。反射シート４１は半透明式の半反射効果の凹レンズを形成し、反射シート４１が凹レンズの仮想イメージを結像及び拡大し、引き続き、反射ミラー３によって反射する影像を反射及び拡大し、第３影像光路Ｄ３より投射すると同時に、影像と透視される前方道路の影像と重ね合わせる。
【００４７】
防塵モジュール５は第１蓋体５１と、第２蓋体５２と第３蓋体５３を含む。第１蓋体５１と、第２蓋体５２を開口部１２の上方に設け、第１蓋体５１を案内溝１７に接続し、第２蓋体５２両側にそれぞれ連動プレート５４を設け、第１蓋体５１を第２蓋体５２に枢椄し、第３蓋体５３を独立して開口部１２の上方に設けており、第３蓋体５３後ろ側の両端は、それぞれ回転軸５３３と、第２弾性素子Ｓ２が設けられ、第２弾性素子Ｓ２はねじりばねを実施する。回転軸５３３を台座１に枢椄し、第２弾性素子Ｓ２を回転軸５３３に嵌め込み、第１蓋体５１と、第２蓋体５２を折り畳むと、第３蓋体５３を圧迫して下方へ沈み、第１蓋体５１と、第２蓋体５２の折り畳み位置を空けられ、第１蓋体５１が案内溝１７の誘導によって、第２蓋体５２後ろ側を連動して折り畳み位置を制限し、第２蓋体５２が動力によって、１８０度以上にひっくり返して、第１蓋体５１と、第２蓋体５２の内面を互いに重ね合わせる。
【００４８】
電動モジュール６を収容空間１１に設けていて、かつ、電気回路板１３と電気接続され、電動モジュール６を第２蓋体５２に枢椄し、第２蓋体５２が電動モジュール６の連動によってひっくり返し、第２蓋体５２が第１蓋体５１を連動して後ろ側にひっくり返し、第１蓋体５１と、第２蓋体５２を折り畳んで開放状態を形成し、表示モジュール３の影像を反射モジュール４に投射する。開放状態において、第１蓋体５１が第３蓋体５３の位置に取り変わって、反射シート４１後方の保護蓋を形成する。
【００４９】
前述連動プレート５４は、第１枢椄素子５４１を含む。第１枢椄素子５４１の一側を台座１の第２枢椄素子１５と枢椄し、第１枢接素子５４１の他側を電動モジュール６の連動軸６１に枢椄する。
【００５０】
前述第１蓋体５１前側の両端にそれぞれ案内柱５１３を設け、案内柱５１３に収合素子５１４を設けられ、収合素子５１４を案内溝１７に嵌め込む。
【００５１】
前述反射モジュール４の底部側は電動モジュール６の一側に結合されている。
【００５２】
図６、本考案の第２実施例による防塵モジュール５の閉合状態を示す図を参照する。反射シート４１を使用する時に、電動モジュール６の回転によって、連動軸６１を連動して第２蓋体５２をひっくり返すとともに、第１蓋体５１を連動して作動させ、第２蓋体５２によって第１蓋体５１を連動して後ろ側に折り畳み、第３蓋体５３を圧迫して下方へ沈むと同時に、第１蓋体５１と、第２蓋体５２の折り畳み位置を開け、第１蓋体５１と、第２蓋体５２の内面を互いに重ね合わせて、開放状態を形成し、引き続き、反射モジュール４の反射シート４１を外側へ観賞位置にひっくり返すことによって、表示モジュール３の影像を反射シート４１に投射する（図７に示す）。
【００５３】
反射シート４１を収合するときに、電動モジュール６が逆方向に回転し、反射モジュール４の反射シート４１を内側へ収納位置にひっくり返し、連動軸６１が第２蓋体５２を連動して逆方向にひっくり返すと同時に、第１蓋体５１を連動して作動し、第２蓋体５２によって、第１蓋体５１を前側に移動させ、第３蓋体５３が圧迫を受けない状態となる。このとき、第２弾性素子Ｓ２の弾性戻り力によって、第３蓋体５３を上向きにひっくり返し、第１蓋体５１と、第２蓋体５２と、第３蓋体５３を台座１の開口部１２に蓋閉めて、閉合状態を形成し（図７に示す）、ホコリの侵入を防いで、操作の順調性が確保される。
【００５４】
以上に述べる通り、本考案の防塵キャップを備えたヘッドアップディスプレイ装置において、第１蓋体と、第２蓋体と、第３蓋体を台座開口部の上方に取り付けて、係る３つの蓋体が折り畳み連動方式を採用しており、ホコリを拭き取るときに、ホコリが台座の内部に落ち込むことを防いで、防塵及び順調操作の効果を確保できる。よって、本考案によれば、既存のヘッドアップ表示装置に残された種々の欠点を解決できる。さらに、本考案で採用する技術手段は、公知技術には見られない、よって、本考案に実用新案特許の新規性と進歩性の要件を満たされている。 
【００５５】
本考案に取り挙げられた具体的な実施例は、本考案の技術内容を説明するために過ぎず、本考案を狭義的に前述実施例に限定するものではない。一例として、第１蓋体と、第２蓋体と、第３蓋体を屈折可能な一体型防塵プレートに置き換えるか、または第１実施例に係る連接棒を第２実施例の案内溝方式に取り替えることができる。よって、本考案の精神及び実用新案請求の範囲を超えない程度の変化による実施もなお本考案の請求範囲に含めることを申し上げる。
【符号の説明】
【００５６】
１  台座
１０  カーバープレート
１１  収容空間
１２  開口部
１３  電気回路基板
１４  第４枢接素子
１５  第２枢椄素子
１６  案内プレート
１６１  傾斜案内面
１７  案内溝
１８  第２ラッチホール
２  表示モジュール
３  反射ミラー
４  反射モジュール
４１  反射プレート
５  防塵モジュール
５１  第１蓋体
５１１  第６枢接素子
５１２  第７枢接素子
５１３  案内柱
５１４  収合素子
５２  第２蓋体
５２１  第８枢接素子
５２２  第９枢接素子
５３  第３蓋体
５３１  第１０枢接素子
５３２  誘導収合部
５３３  回転軸
５３４  第２ラッチホール
５４  連動プレート
５４１  第１枢椄素子
５４２  連動溝
５５  連接棒
５５１  第３枢接素子
５５２  第５枢接素子
６  電動モジュール
６１  連動軸
Ｂ１  第１回転軸機構
Ｂ２  第２回転軸機構
Ｂ３  第３回転軸機構
Ｂ４  第４回転軸機構
Ｄ１  第１影像光路
Ｄ２  第２影像光路
Ｄ３  第３影像光路
Ｌ  コンソール
Ｓ１  第１弾性素子
Ｓ２  第２弾性素子
【図１】
0003208969.tif 000003
【図２】
0003208969.tif 000004
【図３】
0003208969.tif 000005
【図４】
0003208969.tif 000006
【図５】
0003208969.tif 000007
【図６】
0003208969.tif 000008
【図７】
0003208969.tif 000009
【手続補正書】
【提出日】平成28年12月15日(2016.12.15)
【手続補正１】
【補正対象書類名】明細書
【補正対象項目名】全文
【補正方法】変更
【補正の内容】
【考案の詳細な説明】
【技術分野】
【０００１】
本考案は防塵キャップを備えたヘッドアップディスプレイ装置に関し、特にホコリの機器本体の内部への侵入を防ぐ防塵キャップを備えたヘッドアップディスプレイ装置に関する。台座開口部の上方に設ける３つの蓋体を利用し、折り畳み連動方式によって、台座の開口部の蓋を閉めて、ホコリを拭き取るときに、ホコリが台座の内部に落ち込むことを避け、防塵及びスムーズ操作の効果を達成できる。
【背景技術】
【０００２】
現在流行りの自動車用ヘッドアップ表示装置は、ヘッドアップディスプレイ（Ｈｅａｄ  Ｕｐ  Ｄｉｓｐｌａｙ）とも言う。この種の装置は、運転者の視線が進行する前方道路から離れる回数と時間を減らすことによって、車走行の安全性向上を図る。
【０００３】
ここ数年は、市場に車載可能な外付け式ヘッドアップディスプレイが現れている。それらのヘッドアップディスプレイ機能は、単純に時速、回転速度の表示から、今では水温、スロットルの位置、燃料の量、速度オーバー警告、後進の画像、バッテリー電圧、さらに、スピードレーダーが全部整合されている。一部の製品は、高速に取り付けられることを訴えており、車載コンピューターにつなげれば、新たに配線する必要はないと強調している。一部の自動車メーカーのハイスペック車種は、さらにナビゲーションシステムと前後の車間距離等のデータをヘッドアップディスプレイの表示データに整合し、運転者に多くの利便性をもたらしている。一方、市販の外付け式ヘッドアップディスプレイ価格は、簡単機能の数千円なものから品質と機能が多様で豊富な数万円のものも販売されている。
【０００４】
外付け式ヘッドアップディスプレイのスタイル及び機能ともに多様化しており、この種の技術は、特許文献１、特許文献２、特許文献３、特許文献４、特許文献５、特許文献６等が公開されている。それらの公知前例の多くは、防塵機能が備われているが、現在に市販しているヘッドアップディスプレイの構造には、大抵、以下の課題が残されている。
【０００５】
１．その一部のヘッドアップディスプレイはコストダウンを図り、反射シートのバックプレートを防塵蓋体として利用しているため、反射シートに対する保護を少なくしており、蓋閉めるときの不注意により、外力または物品をその上に乗せられ、反射シートの損傷及び位置ずれが発生する。
【０００６】
２．さらに、一部の製品は、防塵カーバーの開閉と反射シートの開閉をそれぞれ別々の動力源によって作動しており、両者の動作の不釣合いがしばしば発生し、故障率も高く、使用者を悩ましている。
【０００７】
３．前述特許前例のうち、一部はシャッター方式の蓋体を防塵の保護手段としているが、シャッターの展開または巻き上げの行程が長く、作動に係る待ち時間も比較的長い。さらに、大きい収納空間が必要であるため機体の体積も大きい。さらに、この種のシャッター式ヘッドアップディスプレイに係る反射シートの開閉がほとんど独立稼働になっており、不釣合い現象が起きる。
【０００８】
４．現在市販中のヘッドアップディスプレイ構造によれば、それらの蓋体の設置位置は機体開口部より少し低い位置に設けられている。この種の構造には、拭き取り清掃するときに、ホコリが機体の内部に落ち込みやすく、年月が経つと、蓄積されたホコリが作動の順調性に影響し、ヘッドアップディスプレイの使用寿命が縮まる。
【先行技術文献】
【特許文献】
【０００９】
【特許文献１】中華民国実用新案特許ＴＷＩ５４１５４２号
【特許文献２】中国特許ＣＮ２０１４１００９１１１４．１号
【特許文献３】中国特許ＣＮ２０１４１０５１３８７９．Ｘ号
【特許文献４】中国特許ＣＮ２００７８００４９３１７．２号
【特許文献５】中国特許ＣＮ２０１３２０８２１５５５．３号
【特許文献６】中華民国実用新案特許ＴＷＭ４８００７４号
【考案の概要】
【考案が解決しようとする課題】
【００１０】
前述課題解決を図り、本考案者が研究、改良を繰り返した結果、本考案の防塵キャップを備えたヘッドアップディスプレイ装置に至り、本考案の目的であるホコリの機器本体内部への侵入を防げる防塵キャップを備えたヘッドアップディスプレイ装置を提供することとなった。
【課題を解決するための手段】
【００１１】
前述した本考案の目的を達成するため、本考案のヘッドアップディスプレイ装置は、台座と、表示モジュールと、反射モジュールと、防塵モジュールと、電動モジュールと、を備える。
【００１２】
台座は、内部に収容空間と、開口部とを設けている。
【００１３】
表示モジュールは、収容空間に設けられ、影像を投射させる。
【００１４】
反射モジュールは、収容空間に設けられ、表示モジュールの投射影像を反射させる。
【００１５】
防塵モジュールは、少なくとも前記開口部に設けられた第１蓋体と、前記開口部に設けられた第２蓋体とを含む。第１蓋体は第２蓋体に枢接する。
【００１６】
電動モジュールを収容空間に設け、電動モジュールは第２蓋体に枢接し、第２蓋体が電動モジュールの連動によってひっくり返り、第２蓋体が第１蓋体を連動して後ろ側に移動させ、第１蓋体と、第２蓋体とを折り畳み、開放状態を形成して、表示モジュールの影像を反射モジュールに投射する。
【００１７】
前述反射モジュールは、電動式反射モジュールである。
【００１８】
本考案の防塵キャップを備えたヘッドアップディスプレイ装置は反射ミラーをさらに含む。反射ミラーは収容空間に設けられていて、表示モジュールより投射される影像を反射する。
【００１９】
前述第２蓋体に連動プレートを設け、連動プレートは第１枢接素子と、連動溝とを含む。第１枢接素子を台座の第２枢接素子に枢接し、連動溝を電動モジュールの連動軸に枢接する。
【００２０】
前述第１蓋体を連接棒の一端に枢接し、連接棒のもう一端を台座の内壁に枢接する。
【００２１】
前述防塵モジュールは第３蓋体をさらに含む。第３蓋体を開口部に設け、第３蓋体を第２蓋体に枢接し、第１蓋体と、第２蓋体と、第３蓋体とを折り畳んで開放するときにＺ字型を形成し、第１蓋体が第３蓋体の位置に取り変わって、反射モジュール後方の保護蓋を形成する。
【００２２】
前述防塵モジュールは第３蓋体をさらに含む、第３蓋体を開口部に設け、第３蓋体の後ろ側両端に、それぞれ回転軸と、第２弾性素子を設け、第１蓋体と、第２蓋体を折り畳むときに、第３蓋体を圧迫しひっくり返して下方へ沈むと同時に、第１蓋体と、第２蓋体の折り畳み位置を空ける。
【００２３】
前述台座は、案内溝をさらに含む。案内溝を台座の内壁に設け、第１蓋体前側の両端部にそれぞれ収合素子を設け、収合素子を案内溝に嵌め込み、第１蓋体は案内溝の誘導によって、連動して第２蓋体後ろ側の折り畳み位置を制限し、第２蓋体が動力により１８０度以上にひっくり返り、第１蓋体と、第２蓋体の内面を互いに重ね合わせる。
【００２４】
前述防塵モジュールは、第３蓋体をさらに含む。第３蓋体を開口部に設け、第２蓋体を第３蓋体に枢接し、第３蓋体後ろ側の第１弾性素子、台座内壁の後ろ側に２つの案内プレートを設けられ、案内プレートに傾斜案内面を有し、第３蓋体後方の縁部が傾斜案内面に対応していて、第３蓋体を誘導して移動させる。
【００２５】
前述台座は車のコンソールに設けられている。
【考案の効果】
【００２６】
台座開口部の上方に設ける３つの蓋体を利用し、折り畳み連動方式によって、台座の開口部に蓋閉めて、ホコリを拭き取るときに、ホコリが台座の内部に落ち込むことを避けられ、防塵及びスムーズ操作の効果を達成できる。
【図面の簡単な説明】
【００２７】
【図１】本考案の第１実施例による立体分解を示す図である。
【図２】本考案の第１実施例による立体を示す図である。
【図３】本考案の第１実施例による閉合を示す図である。
【図４】本考案の第１実施例による開放を示す図である。
【図５】本考案の第２実施例による立体分解を示す図である。
【図６】本考案の第２実施例による閉合を示す図である。
【図７】本考案の第２実施例による開放を示す図である。
【考案を実施するための形態】
【００２８】
［実施例１］
図１ないし４、本考案の防塵キャップを備えたヘッドアップディスプレイ装置第１実施例を参照する。台座１と、表示モジュール２と、反射ミラー３と、反射モジュール４と、防塵モジュール５と、電動モジュール６と、を備える。
【００２９】
台座１の内部に収容空間１１と、開口部１２とが設けられ、収容空間１１に電気回路板１３を設けていて、台座１を車のコンソールＬに埋め込む。
【００３０】
表示モジュール２を収容空間１１に取り付けていて、電気回路板１３と電気接続され、電気回路板１３から出力する映像を受信し、影像が第１影像光路Ｄ１を介して投射される。
【００３１】
反射ミラー３を収容空間１１に取り付けていて、表示モジュール２から投射する影像が第２影像光路Ｄ２を介して投射される。
【００３２】
反射モジュール４は電動式反射モジュールであり、反射モジュール４を収容空間１１に設け、反射モジュール４が反射シート４１を含む。反射シート４１は半透明式の半反射効果の凹レンズを形成し、反射シート４１が凹レンズの仮想イメージを結像及び拡大し、さらに、反射ミラー３によって反射された影像を反射及び拡大し、第３影像光路Ｄ３より投射すると同時に、影像と透視される前方道路の影像と重ね合わせる。
【００３３】
防塵モジュール５が第１蓋体５１と、第２蓋体５２と、第３蓋体５３とを含む。第１蓋体５１と、第２蓋体５２と、第３蓋体５３を開口部１２の上方に設け、第１蓋体５１両側の端部をそれぞれ連接棒５５の一端に枢接し、連接棒５５の他端を台座１の内壁に枢接し、第２蓋体５２の両側にそれぞれ連動プレート５４を設け、第１蓋体５１を第２蓋体５２に枢接し、第３蓋体５３を第２蓋体５２に枢接し、第１蓋体５１と、第２蓋体５２と、第３蓋体５３とは互いに接続していて、開放するときに折りたたんでＺ字型を形成する。
【００３４】
電動モジュール６を収容空間１１に設けていて、かつ、電気回路板１３と電気接続され、電動モジュール６の連動軸６１を第２蓋体５２に枢接し、第２蓋体５２が電動モジュール６の連動によってひっくり返し、第２蓋体５２が第１蓋体５１を連動して後ろ側にひっくり返し、第１蓋体５１と、第２蓋体５２を折り畳んで開放状態を形成し、表示モジュール３の影像を反射モジュール４に投射させる。開放状態において、第１蓋体５１が第３蓋体５３の位置に取り変わって、反射シート４１後方の保護蓋を形成する。
【００３５】
前述連動プレート５４は、第１枢接素子５４１と、連動溝５４２とを含む。第１枢接素子５４１と、台座１の第２枢接素子１５と枢接し、連動溝５４２を電動モジュール６の連動軸６１に枢接する。
【００３６】
前述連接棒５５の一端に、第３枢接素子５５１を有し、台座１内壁の第４枢接素子１４に枢接して、第１回転軸機構Ｂ１を構成し、連接棒５５のもう一端に第５枢接素子５５２を設け、第１蓋体５１前側の第６枢接素子５１１に枢接して、第２回転軸機構Ｂ２を構成し、第１蓋体５１後ろ側の第７枢接素子５１２を第２蓋体５２前側の第８枢接素子５２１に枢接して、第３回転軸機構Ｂ３を構成する。
【００３７】
前述第３蓋体５３の前側に第１０枢接素子５３１を有し、第１０枢接素子５３１を第２蓋体５２後ろ側の第９枢接素子５２２に枢接して、第４回転軸機構Ｂ４を構成し、第３蓋体５３後ろ側の内面に第１ラッチホール５３３を有し、台座１内壁の後ろ側に少なくとも１つの第２ラッチホール１８と、２つの案内プレート１６を設けられ、第１弾性素子Ｓ１の一端を第１ラッチホール５３３に引っ掛けていて、第１弾性素子Ｓ１の他端を第２ラッチホール１８に引っ掛ける。第１弾性素子Ｓ１はばねを形成し、案内プレート１６に傾斜案内面１６１を設けられ、第３蓋体５３後ろ側の縁部を傾斜案内面１６１に対応する位置に誘導収合部５３２を設けており、防塵モジュール５を開放したときに、第２蓋体５２が牽引して第３蓋体５３を連動して作動させ、第１弾性素子Ｓ１の弾性力によって、誘導収合部５３２を引っ張り、案内プレート１６の傾斜案内面１６１に貼り付けると同時に、誘導収合部５３２を傾斜案内面１６１に沿って滑り移動させ、第３蓋体５３を支持及び誘導移動させる。
【００３８】
前述台座１の上方にカーバープレート１０を設け、カーバープレート１０に台座１の開口部１２が設けられている。
【００３９】
前述反射モジュール４の底部側は電動モジュール６の一側に結合されている。
【００４０】
図３、本考案の第１実施例による防塵モジュール５の閉合状態を示す図を参照する。反射シート４１を使用するときは、電動モジュール６によって、連動軸６１を連動し、第２蓋体５２をひっくり返すと同時に、第１蓋体５１と、第３蓋体５３を連動させ、第２蓋体５２が第１蓋体５１を連動して後ろ側にひっくり返すことによって、第１蓋体５１と、第２蓋体５２と、第３蓋体５３を折り畳んでＺ字型の開放状態を形成し、引き続き、反射モジュール４の反射シート４１も観賞位置にひっくり返され、表示モジュール３の影像を反射シート４１に投射させる（図４に示す）。
【００４１】
反射シート４１を収納する時は、電動モジュール６を逆方向に回転させ、反射モジュール４の反射シート４１を内側の収納位置にひっくり返す。連動軸６１も第２蓋体５２を連動して逆方向にひっくり返すとともに、第１蓋体５１と、第３蓋体５３を連動して作動させ、第２蓋体５２を第１蓋体５１に連動して前側に移動し、第１蓋体５１と、第２蓋体５２と、第３蓋体５３を展開して、台座１の開口部１２を蓋閉めて、閉合状態を形成し（図３に示す）て、ホコリの侵入を防いで、操作の順調性を確保しておく。
【００４２】
[実施例２] 
図５ないし７、本考案の防塵キャップを備えたヘッドアップディスプレイ装置の第２実施例を参照する。台座１と、表示モジュール２と、反射ミラー３と、反射モジュール４と、防塵モジュール５と、電動モジュール６と、を備える。
【００４３】
台座１の内部に収容空間１１と、開口部１２とが設けられ、収容空間１１に電気回路板１３を設け、台座１は車のコンソールＬに埋め込まれていて、台座１内壁の両側にそれぞれ案内溝１７を設けている。
【００４４】
表示モジュール２を収容空間１１に取り付けていて、電気回路板１３と電気接続され、電気回路板１３から出力する映像を受信し、影像を第１影像光路Ｄ１に介して投射させる。
【００４５】
反射ミラー３を収容空間１１に取り付けていて、表示モジュール２から投射する影像が第２影像光路Ｄ２を介して投射される。
【００４６】
反射モジュール４は、電動式反射モジュールであり、反射モジュール４を収容空間１１に設け、反射モジュール４は反射シート４１を含む。反射シート４１は半透明式の半反射効果の凹レンズを形成し、反射シート４１が凹レンズの仮想イメージを結像及び拡大し、引き続き、反射ミラー３によって反射する影像を反射及び拡大し、第３影像光路Ｄ３より投射すると同時に、影像と透視される前方道路の影像と重ね合わせる。
【００４７】
防塵モジュール５は第１蓋体５１と、第２蓋体５２と第３蓋体５３を含む。第１蓋体５１と、第２蓋体５２を開口部１２の上方に設け、第１蓋体５１を案内溝１７に接続し、第２蓋体５２両側にそれぞれ連動プレート５４を設け、第１蓋体５１を第２蓋体５２に枢接し、第３蓋体５３を独立して開口部１２の上方に設けており、第３蓋体５３後ろ側の両端は、それぞれ回転軸５３３と、第２弾性素子Ｓ２が設けられ、第２弾性素子Ｓ２はねじりばねを実施する。回転軸５３３を台座１に枢接し、第２弾性素子Ｓ２を回転軸５３３に嵌め込み、第１蓋体５１と、第２蓋体５２を折り畳むと、第３蓋体５３を圧迫して下方へ沈み、第１蓋体５１と、第２蓋体５２の折り畳み位置を空けられ、第１蓋体５１が案内溝１７の誘導によって、第２蓋体５２後ろ側を連動して折り畳み位置を制限し、第２蓋体５２が動力によって、１８０度以上にひっくり返して、第１蓋体５１と、第２蓋体５２の内面を互いに重ね合わせる。
【００４８】
電動モジュール６を収容空間１１に設けていて、かつ、電気回路板１３と電気接続され、電動モジュール６を第２蓋体５２に枢接し、第２蓋体５２が電動モジュール６の連動によってひっくり返し、第２蓋体５２が第１蓋体５１を連動して後ろ側にひっくり返し、第１蓋体５１と、第２蓋体５２を折り畳んで開放状態を形成し、表示モジュール３の影像を反射モジュール４に投射する。開放状態において、第１蓋体５１が第３蓋体５３の位置に取り変わって、反射シート４１後方の保護蓋を形成する。
【００４９】
前述連動プレート５４は、第１枢接素子５４１を含む。第１枢接素子５４１の一側を台座１の第２枢接素子１５と枢接し、第１枢接素子５４１の他側を電動モジュール６の連動軸６１に枢接する。
【００５０】
前述第１蓋体５１前側の両端にそれぞれ案内柱５１３を設け、案内柱５１３に収合素子５１４を設けられ、収合素子５１４を案内溝１７に嵌め込む。
【００５１】
前述反射モジュール４の底部側は電動モジュール６の一側に結合されている。
【００５２】
図６、本考案の第２実施例による防塵モジュール５の閉合状態を示す図を参照する。反射シート４１を使用する時に、電動モジュール６の回転によって、連動軸６１を連動して第２蓋体５２をひっくり返すとともに、第１蓋体５１を連動して作動させ、第２蓋体５２によって第１蓋体５１を連動して後ろ側に折り畳み、第３蓋体５３を圧迫して下方へ沈むと同時に、第１蓋体５１と、第２蓋体５２の折り畳み位置を開け、第１蓋体５１と、第２蓋体５２の内面を互いに重ね合わせて、開放状態を形成し、引き続き、反射モジュール４の反射シート４１を外側へ観賞位置にひっくり返すことによって、表示モジュール３の影像を反射シート４１に投射する（図７に示す）。
【００５３】
反射シート４１を収合するときに、電動モジュール６が逆方向に回転し、反射モジュール４の反射シート４１を内側へ収納位置にひっくり返し、連動軸６１が第２蓋体５２を連動して逆方向にひっくり返すと同時に、第１蓋体５１を連動して作動し、第２蓋体５２によって、第１蓋体５１を前側に移動させ、第３蓋体５３が圧迫を受けない状態となる。このとき、第２弾性素子Ｓ２の弾性戻り力によって、第３蓋体５３を上向きにひっくり返し、第１蓋体５１と、第２蓋体５２と、第３蓋体５３を台座１の開口部１２に蓋閉めて、閉合状態を形成し（図７に示す）、ホコリの侵入を防いで、操作の順調性が確保される。
【００５４】
以上に述べる通り、本考案の防塵キャップを備えたヘッドアップディスプレイ装置において、第１蓋体と、第２蓋体と、第３蓋体を台座開口部の上方に取り付けて、係る３つの蓋体が折り畳み連動方式を採用しており、ホコリを拭き取るときに、ホコリが台座の内部に落ち込むことを防いで、防塵及び順調操作の効果を確保できる。よって、本考案によれば、既存のヘッドアップ表示装置に残された種々の欠点を解決できる。さらに、本考案で採用する技術手段は、公知技術には見られない、よって、本考案に実用新案特許の新規性と進歩性の要件を満たされている。
【００５５】
本考案に取り挙げられた具体的な実施例は、本考案の技術内容を説明するために過ぎず、本考案を狭義的に前述実施例に限定するものではない。一例として、第１蓋体と、第２蓋体と、第３蓋体を屈折可能な一体型防塵プレートに置き換えるか、または第１実施例に係る連接棒を第２実施例の案内溝方式に取り替えることができる。よって、本考案の精神及び実用新案請求の範囲を超えない程度の変化による実施もなお本考案の請求範囲に含めることを申し上げる。
【符号の説明】
【００５６】
１  台座
１０  カーバープレート
１１  収容空間
１２  開口部
１３  電気回路基板
１４  第４枢接素子
１５  第２枢接素子
１６  案内プレート
１６１  傾斜案内面
１７  案内溝
１８  第２ラッチホール
２  表示モジュール
３  反射ミラー
４  反射モジュール
４１  反射プレート
５  防塵モジュール
５１  第１蓋体
５１１  第６枢接素子
５１２  第７枢接素子
５１３  案内柱
５１４  収合素子
５２  第２蓋体
５２１  第８枢接素子
５２２  第９枢接素子
５３  第３蓋体
５３１  第１０枢接素子
５３２  誘導収合部
５３３  回転軸
５３４  第２ラッチホール
５４  連動プレート
５４１  第１枢接素子
５４２  連動溝
５５  連接棒
５５１  第３枢接素子
５５２  第５枢接素子
６  電動モジュール
６１  連動軸
Ｂ１  第１回転軸機構
Ｂ２  第２回転軸機構
Ｂ３  第３回転軸機構
Ｂ４  第４回転軸機構
Ｄ１  第１影像光路
Ｄ２  第２影像光路
Ｄ３  第３影像光路
Ｌ  コンソール
Ｓ１  第１弾性素子
Ｓ２  第２弾性素子
【手続補正２】
【補正対象書類名】実用新案登録請求の範囲
【補正対象項目名】全文
【補正方法】変更
【補正の内容】
【実用新案登録請求の範囲】
【請求項１】
防塵キャップを備えたヘッドアップディスプレイ装置であって、
台座と、表示モジュールと、反射モジュールと、防塵モジュールと、電動モジュールと、を備え、
前記台座の内部に収容空間と、開口部とを設け、
前記表示モジュールを前記収容空間に設け、影像を投射させ、
前記反射モジュールを前記収容空間に設け、前記表示モジュールの投射影像を反射させ、
前記防塵モジュールは、少なくとも前記開口部に設けられた第１蓋体と、前記開口部に設けられた第２蓋体とを含み、前記第１蓋体を前記第２蓋体に枢接し、
前記電動モジュールを前記収容空間に設け、前記第２蓋体に枢接し、前記第２蓋体が前記電動モジュールの連動によってひっくり返り、前記第２蓋体が前記第１蓋体を連動して後ろ側に移動させ、前記第１蓋体と、前記第２蓋体とを折り畳み、開放状態を形成して、前記表示モジュールの影像を反射モジュールに投射することを特徴とする、防塵キャップを備えたヘッドアップディスプレイ装置。
【請求項２】
前記反射モジュールは電動式反射モジュールであることを特徴とする、請求項１記載の防塵キャップを備えたヘッドアップディスプレイ装置。
【請求項３】
反射ミラーをさらに含み、前記反射ミラーを前記収容空間に設け、前記表示モジュールより投射される影像を反射することを特徴とする、請求項１記載の防塵キャップを備えたヘッドアップディスプレイ装置。
【請求項４】
前記第２蓋体に連動プレートを設け、前記連動プレートが第１枢接素子と、連動溝とを含み、前記第１枢接素子を前記台座の第２枢接素子に枢接し、前記連動溝を電動モジュールの連動軸に枢接することを特徴とする、請求項１記載の防塵キャップを備えたヘッドアップディスプレイ装置。
【請求項５】
前記第１蓋体を連接棒の一端に枢接し、前記連接棒のもう一端を前記台座の内壁に枢接することを特徴とする、請求項１記載の防塵キャップを備えたヘッドアップディスプレイ装置。
【請求項６】
前記防塵モジュールは第３蓋体をさらに含み、前記第３蓋体を開口部に設け、前記第３蓋体を前記第２蓋体に枢接し、前記第１蓋体と、前記第２蓋体と、前記第３蓋体とを折り畳んで開放するときにＺ字型を形成し、前記第１蓋体が前記第３蓋体の位置に取り変わって、前記反射モジュール後方の保護蓋を形成することを特徴とする、請求項１記載の防塵キャップを備えたヘッドアップディスプレイ装置。
【請求項７】
前記防塵モジュールは第３蓋体をさらに含み、前記第３蓋体を前記開口部に設け、前記第３蓋体の後ろ側両端に、それぞれ回転軸と、第２弾性素子を設け、前記第１蓋体と、前記第２蓋体を折り畳むときに、前記第３蓋体を圧迫しひっくり返して下方へ沈めると同時に、前記第１蓋体と、前記第２蓋体の折り畳み位置を空けることを特徴とする、請求項１記載の防塵キャップを備えたヘッドアップディスプレイ装置。
【請求項８】
前記台座は、案内溝をさらに含み、前記案内溝を前記台座の内壁に設け、前記第１蓋体前側の両端部にそれぞれ収合素子を設け、前記収合素子を案内溝に嵌め込み、前記第１蓋体が前記案内溝の誘導により、連動して前記第２蓋体後ろ側の折り畳み位置を制限し、前記第２蓋体が動力により１８０度以上にひっくり返り、前記第１蓋体と、前記第２蓋体の内面を互いに重ね合わせることを特徴とする、請求項１記載の防塵キャップを備えたヘッドアップディスプレイ装置。
【請求項９】
前記防塵モジュールは、第３蓋体をさらに含み、前記第３蓋体を前記開口部に設け、前記第２蓋体を前記第３蓋体に枢接し、前記第３蓋体後ろ側の第１弾性素子、前記台座内壁の後ろ側に２つの案内プレートを設け、前記案内プレートに傾斜案内面を有し、前記第３蓋体後方の縁部が傾斜案内面に対応し、前記第３蓋体を誘導して移動することを特徴とする、請求項１記載の防塵キャップを備えたヘッドアップディスプレイ装置。
【請求項１０】
前記台座は車両のコンソールに埋め込まれていることを特徴とする、請求項１記載の防塵キャップを備えたヘッドアップディスプレイ装置。